(57)【要約】【課題】  タブレットコンピュータとそのクレードルの固定構造の提供。【解決手段】  クレードルにはパネルスタンドが組付けられてタブレットＰＣを可視角度に固定することができ、本発明によると、タブレットＰＣの背部に第１係合部が設けられ、並びにパネルスタンドの背板の前表面に該第１係合部に対応する第２係合部、例えば凹溝或いは突起の構造が設けられ、タブレットＰＣがパネルスタンドの二側辺の滑り溝内に挿入され並びにクレードルまで押し下げられ、電器信号コネクタが電器信号供給端子に挿入される時、タブレットＰＣの第１係合部が凹凸の組合せ係合方式によりパネルスタンドの第２係合部に対応し係合し、タブレットＰＣがパネルスタンドに固定される。【選択図】        図１
2006004396.tif 000002
【特許請求の範囲】
【請求項１】
所定厚さｔ１を有し、且つ背部に第１係合部が設けられ、底端に電器信号コネクタが設けられたタブレットＰＣと、
上方にパネルスタンドが組付けられ、該パネルスタンドが背板、底板及び二側辺の滑り溝を具え、該背板の前表面に第２係合部が設けられ、該底板は背板底端より前向きに延伸され並びにその上に電器信号供給端子が設置され、且つ二側辺の滑り溝がそれぞれ該所定厚さｔ１より大きい収納厚さｔ２を形成しているクレードルと、
を具えたタブレットコンピュータとそのクレードルの固定構造において、
該タブレットＰＣがパネルスタンドの二側辺の滑り溝内に挿入され並びにクレードルまで押し下げられ、且つ電器信号コネクタが電器信号供給端子に分離可能に接続され、且つタブレットＰＣの第１係合部が凹凸組合せ方式でパネルスタンドの第２係合部に対応し係合することを特徴とする、タブレットコンピュータとそのクレードルの固定構造。
【請求項２】
請求項１記載のタブレットコンピュータとそのクレードルの固定構造において、パネルスタンドの第２係合部が少なくとも一つの凹溝を具え、且つ該タブレットＰＣの第１係合部が少なくとも一つの突起を具えたことを特徴とする、タブレットコンピュータとそのクレードルの固定構造。
【請求項３】
請求項２記載のタブレットコンピュータとそのクレードルの固定構造において、少なくとも一つの凹溝が長方形凹溝とされ、且つ少なくとも一つの突起が長方形凸塊とされたことを特徴とする、タブレットコンピュータとそのクレードルの固定構造。
【請求項４】
請求項２記載のタブレットコンピュータとそのクレードルの固定構造において、少なくとも一つの凹溝が円形凹溝を具え、且つ少なくとも一つの突起が円形凸塊を具えたことを特徴とする、タブレットコンピュータとそのクレードルの固定構造。
【請求項５】
請求項２記載のタブレットコンピュータとそのクレードルの固定構造において、少なくとも一つの凹溝が水平方向に延伸され、且つ少なくとも一つの突起も水平方向に延伸されたことを特徴とする、タブレットコンピュータとそのクレードルの固定構造。
【請求項６】
請求項２記載のタブレットコンピュータとそのクレードルの固定構造において、パネルスタンドの底板が前端より上向きに突出するストッパ板を具えたことを特徴とする、タブレットコンピュータとそのクレードルの固定構造。
【発明の詳細な説明】
【技術分野】
【０００１】
本発明は一種の固定構造に係り、特にタブレットＰＣとそのクレードルの固定構造に関する。
【背景技術】
【０００２】
デスクトップ型コンピュータの市場は飽和に近づいており、ノートブック型コンピュータが高度に成長し、タブレットＰＣは高度の携帯性、便利なタッチコントロール入力及びデジタルインク等の機能により次第に次世代の傾向となりつつある。
【０００３】
一般に、使用者がタブレットＰＣを手に持ち操作する時、使用者が定位に座って使用したい時、タブレットＰＣ自身には支持のための装置がなく、このためデスク上に平らに置く事しかできない。しかしこのようにすると使用者の視角が制限される。このため、タブレットＰＣには専用のクレードル（ｃｒａｄｌｅ）が設計され、それはタブレットＰＣをある角度でクレードルの上に立てることができ、使用者が操作しやすいようにする。
【０００４】
しかし周知のクレードルのほとんどにはタブレットＰＣとクレードル間の位置決め状態を確保するための固定構造が設計されておらず、単純に収容空間が開設されてタブレットＰＣをそのなかに放置できるだけであり、このため固定状態が不安定で、タブレットＰＣが外力を受けてクレードルとの接触より離脱しやすいため、理想的でない。
【発明の開示】
【発明が解決しようとする課題】
【０００５】
本発明の主要な目的は、一種のタブレットＰＣとクレードルの固定構造を提供することにあり、それはタブレットＰＣとパネルスタンド上の凹凸組合せ面の構造設計により、タブレットＰＣをパネルスタンドに順調に固定できるようにし、動作の順調性を高め、並びにタブレットＰＣの固定と引き出しのステップを簡易化できる構造であるものとする。
【課題を解決するための手段】
【０００６】
請求項１の発明は、所定厚さｔ１を有し、且つ背部に第１係合部が設けられ、底端に電器信号コネクタが設けられたタブレットＰＣと、
上方にパネルスタンドが組付けられ、該パネルスタンドが背板、底板及び二側辺の滑り溝を具え、該背板の前表面に第２係合部が設けられ、該底板は背板底端より前向きに延伸され並びにその上に電器信号供給端子が設置され、且つ二側辺の滑り溝がそれぞれ該所定厚さｔ１より大きい収納厚さｔ２を形成しているクレードルと、
を具えたタブレットコンピュータとそのクレードルの固定構造において、
該タブレットＰＣがパネルスタンドの二側辺の滑り溝内に挿入され並びにクレードルまで押し下げられ、且つ電器信号コネクタが電器信号供給端子に分離可能に接続され、且つタブレットＰＣの第１係合部が凹凸組合せ方式でパネルスタンドの第２係合部に対応し係合することを特徴とする、タブレットコンピュータとそのクレードルの固定構造としている。
請求項２の発明は、請求項１記載のタブレットコンピュータとそのクレードルの固定構造において、パネルスタンドの第２係合部が少なくとも一つの凹溝を具え、且つ該タブレットＰＣの第１係合部が少なくとも一つの突起を具えたことを特徴とする、タブレットコンピュータとそのクレードルの固定構造としている。
請求項３の発明は、請求項２記載のタブレットコンピュータとそのクレードルの固定構造において、少なくとも一つの凹溝が長方形凹溝とされ、且つ少なくとも一つの突起が長方形凸塊とされたことを特徴とする、タブレットコンピュータとそのクレードルの固定構造としている。
請求項４の発明は、請求項２記載のタブレットコンピュータとそのクレードルの固定構造において、少なくとも一つの凹溝が円形凹溝を具え、且つ少なくとも一つの突起が円形凸塊を具えたことを特徴とする、タブレットコンピュータとそのクレードルの固定構造としている。
請求項５の発明は、請求項２記載のタブレットコンピュータとそのクレードルの固定構造において、少なくとも一つの凹溝が水平方向に延伸され、且つ少なくとも一つの突起も水平方向に延伸されたことを特徴とする、タブレットコンピュータとそのクレードルの固定構造としている。
請求項６の発明は、請求項２記載のタブレットコンピュータとそのクレードルの固定構造において、パネルスタンドの底板が前端より上向きに突出するストッパ板を具えたことを特徴とする、タブレットコンピュータとそのクレードルの固定構造としている。
【発明の効果】
【０００７】
本発明のタブレットＰＣとクレードルの固定構造は、タブレットＰＣとパネルスタンド上の凹凸組合せ面の構造設計により、タブレットＰＣをパネルスタンドに順調に固定できるようにし、動作の順調性を高め、並びにタブレットＰＣの固定と引き出しのステップを簡易化できる構造である。
【発明を実施するための最良の形態】
【０００８】
本発明の提供するタブレットコンピュータとそのクレードルの固定構造は、タブレットＰＣとクレードルに応用される。タブレットＰＣは所定厚さｔ１を有し、且つタブレットＰＣの背部に第１係合部が設けられ、底端に電器信号コネクタが設けられている。クレードルの情報に、タブレットＰＣを可視角度に固定するためのパネルスタンドが組付けられ、該パネルスタンドは背板、底板及び二側辺の滑り溝を具えている。そのうち背板の前表面に第２係合部が設けられ、底板は背板底端より前向きに延伸され並びにその上に電器信号供給端子が設置され、且つ二側辺の滑り溝がそれぞれ収納厚さｔ２を形成し、それはタブレットＰＣの所定厚さｔ１よりやや大きい。本発明の特徴は、タブレットＰＣがパネルスタンドの二側辺の滑り溝内に挿入され並びにクレードルまで押し下げられ、且つ電器信号コネクタが電器信号供給端子に接続され、且つタブレットＰＣの第１係合部が凹凸組合せ方式でパネルスタンドの第２係合部に対応し係合することにある。
【０００９】
そのうち、パネルスタンドの第２係合部は少なくとも一つの凹溝を具え、且つタブレットＰＣの第１係合部はこれに対応する少なくとも一つの突起を具えている。パネルスタンドの第２係合部が少なくとも一つの突起とされる時は、これに対応するタブレットＰＣの第１係合部は少なくとも一つの凹溝を具えるものとされる。このほか、凹溝は水平、傾斜或いは垂直方向に延伸された長方形或いは円形凹溝とされ得て、突起は水平、傾斜或いは垂直方向に延伸された長方形或いは円形凸塊とされうる。
【実施例１】
【００１０】
図１は本発明の実施例の立体分解図である。タブレットＰＣ１を可視角度に固定して使用者の操作に便利とするため、本実施例ではクレードル３を提供し、その上方にパネルスタンド２が組付けられ、タブレットＰＣ１の収容に供される。図１に示されるように、タブレットＰＣ１本体は所定厚さｔ１を具え、且つ背部に第１係合部１１が設けられ、並びに底端に電器信号コネクタ１２が設けられている。パネルスタンド２は背板２１、底板２２、二側辺の滑り溝２３及びストッパ板２６で組成されている。そのうち、背板２１の前表面にタブレットＰＣ１の第１係合部１１に対応する第２係合部２４が設けられ、且つ底板２２は背板２１の底端より前向きに延伸され、並びに底板２２にタブレットＰＣの電器信号コネクタ１２に対応する電器信号供給端子２５が設けられている。このほか、二側辺の滑り溝２３が収納厚さｔ２を形成し、収納厚さｔ２はタブレットＰＣ１の所定厚さｔ１よりやや大きく、これにより側辺の滑り溝２３がタブレットＰＣ１をそのなかでスライドさせられる。
【００１１】
注意すべきことは以下のことである。一般にタブレットＰＣ１は軽量、薄型、コンパクトであることが求められ、その体積及び厚さは最も薄く圧縮され、且つ内部空間が最適化利用されているため、その他の空間を確保するのは難しい。これにより、タブレットＰＣ１背部の第１係合部１１は好ましくは外向きに突出する構造とされ、パネルスタンド２の背板２１の前表面の第２係合部２４はそれに対応する内に凹んだ構造とされるのがよい。当然、タブレットＰＣ１の厚さが十分にあれば、第１係合部１１を凹溝構造とし、且つ第２係合部２４をそれに対応する突起構造とすることも可能である。本実施例では、第１係合部１１は水平方向に延伸された長方形凸塊とされ、第２係合部２４は水平方向に延伸された長方形凹溝とされ、強固に係合し、並びに複数組の凹凸組合せ面の設計の設置により、タブレットＰＣ１とパネルスタンド２間の固定状態を強化できる。このほか、第１係合部１１と第２係合部２４は傾斜方向或いは垂直方向に延伸された凹凸組合せ面に設計可能である。タブレットＰＣ１底端の電器信号コネクタ１２は電源コネクタ、信号コネクタ或いは両者を共に具えたコネクタとされ、パネルスタンド２の電器信号供給端子２５より送られる電源或いは信号を受け取る。
【００１２】
タブレットＰＣ１をパネルスタンド２に固定して図２のような固定状態としたい時は、タブレットＰＣ１を背板２１に揃え、二側辺の滑り溝２３に沿って下向きに滑り溝２３中に挿入し、並びに底板２２まで押し下げ、電器信号コネクタ１２を電器信号供給端子２５に挿嵌する。この時、タブレットＰＣ１の第１係合部１１は凹凸組合せの嵌合方式でパネルスタンド２の第２係合部２４に係合し、タブレットＰＣ１がパネルスタンド２に固定され、タブレットＰＣ１が操作に便利な可視角度に維持される。図２に示されるように、本実施例のパネルスタンド２の底板２２は前端より上向きに突出するストッパ板２６を具え、タブレットＰＣ１の前向きの脱出を防止し、タブレットＰＣ１を更に強固にパネルスタンド２の上に固定することができる。
【００１３】
図３の断面図に示されるように、タブレットＰＣ１がパネルスタンド２上に固定される時、第１係合部１１と第２係合部２４は相互に密接に係合し、且つ電器信号コネクタ１２もまた電器信号供給端子２５と緊密に結合されている。
【００１４】
使用者がタブレットＰＣ１をパネルスタンド２より取り出して単独でタブレットＰＣ１を使用したい時は、第１係合部１１と第２係合部２４が凹凸組合せ方式で係合し、且つ側辺の滑り溝２３の収納厚さｔ２がタブレットＰＣ１の所定厚さｔ１よりやや大きいことから、僅かにタブレットＰＣ１を軽く外向きに回して係合状態を解除し、更に上向きに引き出せば、簡単にタブレットＰＣ１とパネルスタンド２を分離させることができる。
【００１５】
以上から分かるように、本発明のタブレットコンピュータとそのクレードルの固定構造は、固定及び分離が容易な構造であり、動作の順調性を高め、並びに使用しやすく、周知の技術に較べて大きく進歩している。
【００１６】
以上の実施例は本発明の範囲を限定するものではなく、本発明に基づきなしうる細部の修飾或いは改変は、いずれも本発明の請求範囲に属するものとする。
【図面の簡単な説明】
【００１７】
【図１】本発明の実施例の立体分解図である。
【図２】本発明の実施例の固定状態表示図である。
【図３】本発明の実施例の断面図である。
【符号の説明】
【００１８】
１  タブレットＰＣ          １１  第１係合部        １２  電器信号コネクタ
２  パネルスタンド          ２１  背板              ２２  底板
２３  滑り溝                ２４  第２係合部        ２５  電器信号供給端子
２６  ストッパ板            ３  クレードル          ｔ１  所定厚さ
ｔ２  収納厚さ
【図１】
2006004396.tif 000003
【図２】
2006004396.tif 000004
【図３】
2006004396.tif 000005